(57)【要約】【課題】  窓枠又は建物に固定されて使用される障子ストッパ装置の一例を開示する。【解決手段】  窓枠５又は建物に固定されるベース部材１１と、ベース部材１１に揺動可能に装着されたストッパ部材１３であって、当該ベース部材１１が固定された際に揺動中心軸線が障子３の移動方向と平行な状態となるとともに、障子３と接触して当該障子３の移動を規制するための規制位置と当該障子３の移動を許容する許容位置との間で揺動可能なストッパ部材１３と、揺動中心軸線と平行な方向にスライドするカンヌキ１５であって、ストッパ部材１３に設けられた第１被嵌合部１３Ｄ又は第２被嵌合部１３Ｅに嵌合可能なカンヌキ１５とを備える。さらに、カンヌキ１５が第１被嵌合部１３Ｄに嵌合した状態では、ストッパ部材１３は規制位置に保持され、かつ、カンヌキ１５が第２被嵌合部１３Ｅに嵌合した状態では、ストッパ部材１３は許容位置に保持される。【選択図】図２
2019108772.tif 000002
【特許請求の範囲】
【請求項１】
平行移動する障子を備える窓に適用され、当該障子の移動量を規制する障子ストッパ装置において、
窓枠又は建物に対して固定されるベース部材と、
前記ベース部材に揺動可能に装着されたストッパ部材であって、当該ベース部材が固定された際に揺動中心軸線が前記障子の移動方向と平行な状態となるとともに、前記障子と接触して当該障子の移動を規制するための規制位置と当該障子の移動を許容する許容位置との間で揺動可能なストッパ部材と、
前記揺動中心軸線と平行な方向にスライドするカンヌキであって、前記ストッパ部材に設けられた第１被嵌合部又は第２被嵌合部に嵌合可能なカンヌキとを備え、
前記カンヌキが前記第１被嵌合部に嵌合した状態では、前記ストッパ部材は前記規制位置に保持され、
さらに、前記カンヌキが前記第２被嵌合部に嵌合した状態では、前記ストッパ部材は前記許容位置に保持される障子ストッパ装置。
【請求項２】
前記カンヌキを前記ストッパ部材側に向けて変位させる弾性力を当該カンヌキに作用させるばねを備える請求項１に記載の障子ストッパ装置。
【請求項３】
前記ストッパ部材を揺動可能に支持するための軸部であって、前記揺動中心軸線と平行な方向に前記ストッパ部材を貫通している軸部と、
前記ベース部材に固定され、前記軸部の軸線方向一端側を支持する第１支持部材と、
前記ベース部材に固定され、前記軸部の軸線方向他端側を支持する第２支持部材とを備え、
前記ばねは、前記揺動中心軸線と平行な方向において、前記第１支持部材を挟んで前記第２支持部材と反対側に配置され、
前記第１被嵌合部及び前記第２被嵌合部は、前記揺動中心軸線と平行な方向に前記ストッパ部材を貫通した貫通穴にて構成されており、
さらに、前記第１支持部材には、前記カンヌキが貫通可能な貫通穴が設けられている請求項２に記載の障子ストッパ装置。
【請求項４】
前記ストッパ部材は、Ｌ字状の金属板を有して構成されており、
さらに、前記ストッパ部材のうち前記障子と接触する部位には、樹脂製の当接部材が設けられている請求項３に記載の障子ストッパ装置。
【発明の詳細な説明】
【技術分野】
【０００１】
本開示は、窓枠内を平行移動する障子（例えば、引き戸）を備える窓に適用される障子ストッパ装置に関する。
【背景技術】
【０００２】
例えば、特許文献１に記載の障子ストッパ装置は、引き戸内に収納されたストッパ部が当該引き戸に対して出没可能な構成である。
【先行技術文献】
【特許文献】
【０００３】
【特許文献１】特開２００９−１６７７８９号公報
【発明の概要】
【発明が解決しようとする課題】
【０００４】
特許文献１に記載の障子ストッパ装置は、ストッパ部が引き戸等の障子内に収納される構成であるので、当該障子は、障子ストッパ装置を収納することが可能な構造である必要がある。そこで、本願は、窓枠又は建物に固定されて使用される障子ストッパ装置の一例を開示する。
【課題を解決するための手段】
【０００５】
本開示に係る障子ストッパ装置では、例えば、窓枠（５）又は建物に固定されるベース部材（１１）と、ベース部材（１１）に揺動可能に装着されたストッパ部材（１３）であって、当該ベース部材（１１）が固定された際に揺動中心軸線（Ｌ１）が障子（３）の移動方向と平行な状態となるとともに、障子（３）と接触して当該障子（３）の移動を規制するための規制位置と当該障子（３）の移動を許容する許容位置との間で揺動可能なストッパ部材（１３）と、揺動中心軸線（Ｌ１）と平行な方向にスライドするカンヌキ（１５）であって、ストッパ部材（１３）に設けられた第１被嵌合部（１３Ｄ）又は第２被嵌合部（１３Ｅ）に嵌合可能なカンヌキ（１５）とを備える。
【０００６】
さらに、当該障子ストッパ装置は、カンヌキ（１５）が第１被嵌合部（１３Ｄ）に嵌合した状態では、ストッパ部材（１３）は規制位置に保持され、かつ、カンヌキ（１５）が第２被嵌合部（１３Ｅ）に嵌合した状態では、ストッパ部材（１３）は許容位置に保持されるように構成されていることが望ましい。
【０００７】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【０００８】
【図１】第１実施形態に係る障子ストッパ装置の利用状態を示す図である。
【図２】第１実施形態に係る障子ストッパ装置の構造を示す図である。
【図３】第１実施形態に係る障子ストッパ装置の構造を示す図である。
【図４】第１実施形態に係る障子ストッパ装置の分解図である。
【図５】第１実施形態に係る障子ストッパ装置の構造を示す図である。
【図６】Ａ及びＢは、第１実施形態に係る障子ストッパ装置の構造を示す図である。
【図７】第２実施形態に係る障子ストッパ装置の構造を示す図である。
【発明を実施するための形態】
【０００９】
以下の「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１０】
なお、各図に付された方向を示す矢印等は、各図相互の関係を理解し易くするために記載されたものである。本明細書に記載された発明は、各図に付された方向に限定されるものではない。
【００１１】
少なくとも符号を付して説明した部材又は部位は、「１つの」等の断りがある場合を除き、少なくとも１つ設けられている。つまり、「１つの」等の断りがない場合には、当該部材は２以上設けられていてもよい。
【００１２】
（第１実施形態）
１．引き戸用窓
本実施形態は、図１に示されるように、引き戸用窓１に障子ストッパ装置１０の一例を適用したものである。引き戸用窓１は、少なくとも１つ（本実施形態では、１つ）の障子３及び窓枠５等を有して構成される。
【００１３】
障子３は窓枠５内を水平方向に平行移動する。窓枠５は、建物の壁等に固定された状態で障子３のスライドを案内する。障子ストッパ装置１０は、窓枠５又は建物に対して固定されて障子３の移動量を規制する。
【００１４】
２．障子ストッパ装置
２．１  障子ストッパ装置の構成
障子ストッパ装置１０は、図２〜図４に示されるように、ベース部材１１、ストッパ部材１３及びカンヌキ１５、並びにそれら１１、１３、１５等を覆うカバー１８を少なくとも備える。ベース部材１１は、窓枠５又は建物に対して固定される基材である。
【００１５】
ストッパ部材１３は、規制位置（図５の二点鎖線参照）と許容位置（図５の実線参照）との間で揺動可能な部材である。規制位置は、障子３と接触して当該障子３の移動を規制するための位置である。許容位置は、障子３の移動を許容する位置である。
【００１６】
ストッパ部材１３は、図４に示されるように、ストッパ本体１３Ａ及び当接部材１３Ｂ等を少なくとも有する。ストッパ本体１３Ａは、略Ｌ字状の金属板にて構成されたアーム材である。当接部材１３Ｂは、ストッパ本体１３Ａのうち障子３と接触する部位に設けられている。当該当接部材１３Ｂは、ゴム等の樹脂製である。
【００１７】
ストッパ本体１３Ａには軸部１３Ｃが設けられている。軸部１３Ｃは、ストッパ部材１３を揺動可能に支持するための部材である。当該軸部１３Ｃは、ストッパ本体１３Ａに設けられた軸穴（図示せず。）に貫通挿入されている。当該軸穴は、ストッパ本体１３Ａを板厚方向に貫通した貫通穴である。
【００１８】
軸部１３Ｃの中心軸線、つまりストッパ部材１３の揺動中心軸線Ｌ１は、ベース部材１１が窓枠５又は建物に対して固定された際に障子３の移動方向と平行である。したがって、障子ストッパ装置１０が窓枠５又は建物に固定された状態では、揺動中心軸線Ｌ１は建物の壁等と略平行となる。
【００１９】
軸部１３Ｃは、第１支持部材１１Ａ及び第２支持部材１１Ｂに支持されている。第１支持部材１１Ａは、ベース部材１１に固定されて軸部１３Ｃの軸線方向一端側を支持する。
第２支持部材１１Ｂは、ベース部材１１に固定されて軸部１３Ｃの軸線方向他端側を支持する。
【００２０】
第１支持部材１１Ａ及び第２支持部材１１Ｂは、ストッパ本体１３Ａの板面と略平行な板材であって、ベース部材１１に溶接等にて一体化されている。第１支持部材１１Ａ及び第２支持部材１１Ｂには、軸部１３Ｃが貫通する軸穴１１Ｃ、１１Ｄが設けられている。
【００２１】
軸部１３Ｃは、軸穴１１Ｃ、１１Ｄの内周面及びストッパ本体１３Ａの軸穴の内周面のうちいずれかの内周面と滑り接触可能である。これにより、ストッパ本体１３Ａは、第１支持部材１１Ａ及び第２支持部材１１Ｂに対して回転可能に支持される。
【００２２】
なお、軸部１３Ｃの一端側及び他端側には、止め輪１１Ｅ（図２及び図５参照）が装着されている。止め輪１１Ｅは、第１支持部材１１Ａ、第２支持部材１１Ｂ及びストッパ本体１３Ａから軸部１３Ｃが離脱することを抑止する。
【００２３】
カンヌキ１５は、ストッパ部材１３に設けられた第１被嵌合部１３Ｄ又は第２被嵌合部１３Ｅに嵌合可能な部材である。第１被嵌合部１３Ｄ及び第２被嵌合部１３Ｅは、揺動中心軸線Ｌ１と平行な方向、つまりストッパ本体１３Ａの板厚方向にストッパ部材１３を貫通した貫通穴である。
【００２４】
カンヌキ１５が第１被嵌合部１３Ｄに嵌合した状態（図２参照）では、ストッパ部材１３は規制位置に保持される。カンヌキ１５が第２被嵌合部１３Ｅに嵌合した状態（図３参照）では、ストッパ部材１３は許容位置に保持される。
【００２５】
カンヌキ１５は、揺動中心軸線Ｌ１と平行な方向にスライド可能にベース部材１１に支持されている。すなわち、カンヌキ１５は、図４に示されるように、カンヌキ本体１５Ａ及び把持部１５Ｂ等を有して構成されている。
【００２６】
カンヌキ本体１５Ａは、揺動中心軸線Ｌ１と平行な方向に延びる棒状の部位である。第１支持部材１１Ａ及び第３支持部材１１Ｇには、カンヌキ本体１５Ａが貫通可能な貫通穴１１Ｆ、１１Ｈが設けられている。
【００２７】
第３支持部材１１Ｇは、揺動中心軸線Ｌ１と平行な方向において、第１支持部材１１Ａを挟んで第２支持部材１１Ｂと反対側に配置されている。当該第３支持部材１１Ｇは、溶接等にてベース部材１１に一体化されている。
【００２８】
貫通穴１１Ｆは、揺動中心軸線Ｌ１と平行な方向に第１支持部材１１Ａを貫通した穴である。貫通穴１１Ｈは、揺動中心軸線Ｌ１と平行な方向に第３支持部材１１Ｇを貫通した穴である。
【００２９】
そして、カンヌキ本体１５Ａは、貫通穴１１Ｆ、１１Ｈを貫通した状態で当該貫通穴１１Ｆ、１１Ｈの内周面に滑り接触することにより、揺動中心軸線Ｌ１と平行な方向にスライド変位できる。
【００３０】
把持部１５Ｂは利用者が把持可能な部位である。利用者は、把持部１５Ｂを把持することにより、カンヌキ本体１５Ａ、つまりカンヌキ１５を容易にスライドさせることができ得る。本実施形態に係る把持部１５Ｂは、カンヌキ本体１５Ａの長手方向端部から当該長手方向と直交する方向に延びた部位である。
【００３１】
なお、本実施形態に係るカンヌキ１５は、１本の金属棒が略Ｌ字状に折り曲げられて形
成されている。つまり、カンヌキ本体１５Ａと把持部１５Ｂとは曲げ加工による一体成形品である。
【００３２】
図６Ａに示されるように、障子ストッパ装置１０はばね１７を有する。ばね１７は、カンヌキ１５をストッパ部材１３側に向けて変位させる弾性力を当該カンヌキ１５に作用させる。
【００３３】
すなわち、ばね１７は、揺動中心軸線Ｌ１と平行な方向において、第１支持部材１１Ａを挟んで第２支持部材１１Ｂと反対側、つまり第１支持部材１１Ａと第３支持部材１１Ｇとの間に配置されている。
【００３４】
ばね１７はコイルばねである。当該ばね１７にはカンヌキ本体１５Ａが貫通している。ばね１７の一端は第３支持部材１１Ｇに接触している。ばね１７の他端はカンヌキ本体１５Ａに設けられた鍔部１５Ｃに接触している。
【００３５】
つまり、ばね１７は、第３支持部材１１Ｇと鍔部１５Ｃとにより挟まれた状態となっている。カンヌキ１５が第１被嵌合部１３Ｄ又は第２被嵌合部１３Ｅから離脱する向きにスライドすると、図６Ｂに示されるように、ばね１７が圧縮変形する。
【００３６】
したがって、圧縮変形したばね１７が復元する復元力は、カンヌキ１５をストッパ部材１３側に向けて変位させる弾性力として機能する。当該復元力は、鍔部１５Ｃを介してカンヌキ１５に作用する。
【００３７】
２．２  障子ストッパ装置の使用方法
障子ストッパ装置１０を利用する利用者は、先ず、当該障子ストッパ装置１０、つまりベース部材１１を障子３の上部に位置する窓枠５又は建物に固定する。
【００３８】
そして、カンヌキ１５、つまりカンヌキ本体１５Ａが第１被嵌合部１３Ｄに嵌合した状態（図２参照）では、ストッパ部材１３が規制位置に保持されるため、障子３の移動量が規制される。カンヌキ本体１５Ａが第２被嵌合部１３Ｅに嵌合した状態（図３参照）では、ストッパ部材１３が規制位置に保持されるため、障子３は自由に移動でき得る。
【００３９】
３．本実施形態に係る障子ストッパ装置の特徴
利用者は、障子ストッパ装置１０を窓枠５又は建物に固定することにより、障子ストッパ機能を得ることができきる。つまり、既存の引き戸用窓１に対しても容易に障子ストッパ機能を得ることができきる。
【００４０】
なお、特許文献１に記載の発明では、障子ストッパ装置が引き戸内に収納されているので、既存の引き戸用窓１に後付的に障子ストッパ機能を得ることができない。つまり、特許文献１に記載の発明では、引き戸用窓全体を交換しなければ、障子ストッパ機能を得ることができない。
【００４１】
利用者は、障子ストッパ装置１０を障子３の上部に位置する窓枠５又は建物に固定することができる。したがって、子供や老人等の身長が低い者では、カンヌキ１５を操作することが難しい。
【００４２】
延いては、保育園若しくは幼稚園又は介護用老人ホーム等の施設において、本実施形態に係る障子ストッパ装置１０が利用された場合には、子供や老人がカンヌキ１５を操作して窓から室外に外出してしまうことを抑制でき得る。
【００４３】
なお、上記施設の職員であれば、通常、カンヌキ１５を容易に操作でき得るので、当該職員が必要に応じて容易に障子３の移動量を管理でき得る。延いては、子供や老人の外出を職員が管理でき得る。
【００４４】
（第２実施形態）
上述の実施形態に係る把持部１５Ｂは、カンヌキ本体１５Ａに対して直交する方向に延びた部位であった。これに対して、本実施形態に係る把持部１５Ｂは、図７に示されるように、カンヌキ本体１５Ａの延長上に設けられている。なお、上述の実施形態と同一の構成要件等は、上述の実施形態と同一の符号を付したので、重複する説明は省略する。
【００４５】
（その他の実施形態）
上述の実施形態に係る障子ストッパ装置１０は、障子３の上部に位置する窓枠５又は建物に固定されることを想定したものであった。しかし、本願明細書に開示された発明はこれに限定されるものではない。すなわち、例えば、障子ストッパ装置１０は、障子３の下部に位置する窓枠５又は建物に固定されてもよい。
【００４６】
上述の実施形態に係るストッパ部材１３は、全体が略Ｌ字状であって、かつ、当接部材１３Ｂが設けられていた。しかし、本願明細書に開示された発明はこれに限定されるものではない。すなわち、例えば、当接部材１３Ｂが廃止されたストッパ部材１３、又はＩ字状のストッパ本体１３Ａを有するストッパ部材１３であってもよい。
【００４７】
上述の実施形態では、カンヌキ１５をストッパ部材１３側に向けて変位させる弾性力を当該カンヌキ１５に作用させるコイルばねにて構成されたばね１７を備えていた。しかし、本願明細書に開示された発明はこれに限定されるものではない。すなわち、当該発明は、例えば、ばね１７が廃止された構成、又はコイルばね以外のばねにてばね１７が構成されていてもよい。
【００４８】
上述の実施形態に係る第１被嵌合部１３Ｄ及び第２被嵌合部１３Ｅは貫通穴にて構成されていた。しかし、本願明細書に開示された発明はこれに限定されるものではない。すなわち、例えば、第１支持部材１１Ａ側から第２支持部材１１Ｂ側に窪んだ凹部にて第１被嵌合部１３Ｄ及び第２被嵌合部１３Ｅが構成されていてもよい。
【００４９】
上述の実施形態に係る障子ストッパ装置１０は、引き戸窓に適用されるものであった。しかし、本願明細書に開示された発明はこれに限定されるものではない。すなわち、上述の実施形態に係る障子ストッパ装置１０は、引き戸窓以外の窓にも適用可能である。
【００５０】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００５１】
１… 引き戸用窓  ３… 障子  ５… 窓枠  １０… 障子ストッパ装置
１１… ベース部材  １１Ａ… 第１支持部材  １１Ｂ… 第２支持部材
１１Ｃ… 軸穴  １１Ｅ… 止め輪  １１Ｇ… 第３支持部材
１１Ｆ、１１Ｈ… 貫通穴  １３… ストッパ部材
１３Ａ… ストッパ本体  １３Ｂ… 当接部材  １３Ｃ… 軸部
１３Ｄ… 第１被嵌合部  １３Ｅ… 第２被嵌合部  １５… カンヌキ
１５Ａ… カンヌキ本体  １５Ｂ… 把持部  １５Ｃ… 鍔部
【図１】
2019108772.tif 000003
【図２】
2019108772.tif 000004
【図３】
2019108772.tif 000005
【図４】
2019108772.tif 000006
【図５】
2019108772.tif 000007
【図６】
2019108772.tif 000008
【図７】
2019108772.tif 000009